(57)【特許請求の範囲】
【請求項１】
ヘルメットに固着され、前記ヘルメットとは別体のヘルメット用吸汗具であって、
高吸水性樹脂を含む吸収主体と、前記吸収主体を囲繞する外装体と、を備え、圧縮荷重−圧縮歪曲線の直線性が０．５０以上０．７５以下である吸収性部材と、前記吸収性部材の表面に固着される粘着層と、を備え、
前記吸収性部材は、前記吸収主体と、前記吸収主体を囲繞する液透過性の前記外装体と、を含み、
前記吸収性部材は、圧縮荷重を０．５ｇｆ／ｃｍ２として圧縮した際の厚みＴ０と、圧力５０ｇｆ／ｃｍ２で圧縮した厚みＴＭと、の差分が、３．５ｍｍ以上１０．０ｍｍ以下である、
ことを特徴とするヘルメット用吸汗具。
【請求項２】
請求項１記載のヘルメット用吸汗具であって、
前記吸収性部材は、圧縮仕事量が、５．０以上１０．０以下であることを特徴とするヘルメット用吸汗具。
【請求項３】
請求項１記載のヘルメット用吸汗具であって、
前記吸収性部材は、圧縮レジリエンスが、５０．０％以上１００％未満であるであることを特徴とするヘルメット用吸汗具。
【請求項４】
請求項１記載のヘルメット用吸汗具であって、
前記吸収性部材は、長手方向と、前記長手方向よりも前記吸収性部材の長さが短く、前記長手方向を横切る短手方向と、が定義され、
前記吸収性部材は、前記長手方向の長さが１５０ｍｍ以上２５０ｍｍ以下、前記短手方向の長さが４０ｍｍ以上９０ｍｍ以下、かつ、圧縮荷重を０．５ｇｆ／ｃｍ２として圧縮した際の厚みが７．０ｍｍ以上１４．０ｍｍ以下であることを特徴とするヘルメット用吸汗具。
【請求項５】
請求項１記載のヘルメット用吸汗具であって、
前記吸収性部材は、制汗剤、デオドラント剤および芳香剤の少なくとも一つを含有することを特徴とするヘルメット用吸汗具。
【請求項６】
請求項１記載のヘルメット用吸汗具であって、
前記吸収性部材には、長手方向と、前記長手方向よりも前記吸収性部材の長さが短く、前記長手方向を横切る短手方向と、が定義され、
前記短手方向の前記吸収性部材の端部の厚みは、前記長手方向の前記吸収性部材の端部の厚みよりも大きいことを特徴とするヘルメット用吸汗具。
【発明の詳細な説明】
【技術分野】
【０００１】
本発明は、ヘルメット用吸汗具に関する。
【背景技術】
【０００２】
炎天下や熱場などでヘルメットを着用して工事作業や運転をする場合、ヘルメット着用者から発汗した汗がヘルメット内を蒸し、また、額を流れ落ちて、目に流れ込んだりすることがあり、工事作業や運転に危険を及ぼす場合があった。このため、ヘルメットの内側に係脱自在に装着して、ヘルメット着用者の汗を吸収する使い捨てのヘルメット用吸汗具が使用されている。吸汗具としては、所定箇所にずり落ちないように確実に固定し、吸汗具が肌と擦れることで生ずるヨレが発生しづらく、汗を持続的に吸収できるものが望まれている。
【０００３】
このため、例えば、特許文献１には、ヘルメットのライナーの内側に装用され、ほぼ半球状の帽子部材と、帽子部材の周辺に環状に配置され、帽子部材に結合される吸汗帯と、を備えるヘルメット用吸汗具が開示されている。また、特許文献２には、帽子を脱着する際に帽子の前側縁部に位置するシート端が肌と擦れてヨレが生じ、シートがずれて汗を吸収できなくなるという問題を解決するために、帯状に形成される帯状シート部と、この帯状シート部の長手方向中央部から幅方向に延在して形成されるつば用シート部とから構成され、つば用シート部を基端部より折り曲げて帽子のつばの内側に固定する帽子用吸汗シートが開示されている。
【先行技術文献】
【特許文献】
【０００４】
【特許文献１】特開平４−３０８２１１号公報
【特許文献２】特開２０１３−３６１４２号公報
【発明の概要】
【発明が解決しようとする課題】
【０００５】
しかしながら、特許文献１に記載の吸汗具は、着用者の頭部の所定箇所にずりおちないように固定できる点で優れているが、部品数が多く、製造コストがかかるという問題があった。また、特許文献２に記載の吸汗具は、帽子と比較して、ヘルメットは日よけ機能が重視されていないので、つばがない、又は、つばが狭く、特許文献２に記載の吸汗具で、ヘルメット用吸汗具のヨレを防止することは困難であり、また、特許文献２に記載の吸汗具は、前側縁部のヨレは防止できるが、例えばヘルメット着用者の動きなどによって、ヘルメット着用時にその他部分に生じるヨレまでも防止することはできないものであった。
【０００６】
従って、本発明は、このような課題に鑑みてなされたものであり、製造コストを低くおさえるとともに、着用者の頭部の所定箇所に摺り落ちないように固定でき、フィット感が高く、かつ、ヘルメット着用時などに吸汗具が着用者の肌や頭部が擦れることによるヨレが生じず、汗を持続的に吸収できるヘルメット用吸汗具を提供することを目的とする。
【課題を解決するための手段】
【０００７】
（１）本発明の一実施形態に係るヘルメット用吸汗具は、ヘルメットに固着され、前記ヘルメットとは別体のヘルメット用吸汗具であって、
高吸水性樹脂を含む吸収主体と、前記吸収主体を囲繞する外装体と、を備え、圧縮荷重−圧縮歪曲線の直線性が０．５０以上０．７５以下である吸収性部材と、
前記吸収性部材の表面に固着される粘着層と、を備え、
前記吸収性部材は、前記吸収主体と、前記吸収主体を囲繞する液透過性の前記外装体と、を含み、
前記吸収性部材は、圧縮荷重を０．５ｇｆ／ｃｍ２として圧縮した際の厚みＴ０と、圧力５０ｇｆ／ｃｍ２で圧縮した厚みＴＭと、の差分が、３．５ｍｍ以上１０．０ｍｍ以下であってもよい。
（２）本発明の一実施形態に係るヘルメット用吸汗具は、（１）記載のヘルメット用吸汗具であって、上記吸収性部材は、圧縮仕事量が、５．０以上１０．０以下であってもよい。
（３）本発明の一実施形態に係るヘルメット用吸汗具は、（１）記載のヘルメット用吸汗具であって、上記吸収性部材は、圧縮レジリエンスが、５０．０％以上１００％未満であってもよい。
（４）本発明の一実施形態に係るヘルメット用吸汗具は、（１）記載のヘルメット用吸汗具であって、上記吸収性部材は、長手方向と、上記長手方向よりも上記吸収性部材の長さが短く、上記長手方向を横切る短手方向と、が定義され、上記吸収性部材は、上記長手方向の長さが１５０ｍｍ以上２５０ｍｍ以下、上記短手方向の長さが４０ｍｍ以上９０ｍｍ以下、かつ、圧縮荷重を０．５ｇｆ／ｃｍ２として圧縮した際の厚みが７．０ｍｍ以上１４．０ｍｍ以下であってもよい。
（５）本発明の一実施形態に係るヘルメット用吸汗具は、（１）記載のヘルメット用吸汗具であって、上記吸収性部材は、制汗剤、デオドラント剤および芳香剤の少なくとも一つを含有してもよい。
（６）本発明の一実施形態に係るヘルメット用吸汗具は、（１）記載のヘルメット用吸汗具であって、上記吸収性部材には、長手方向と、上記長手方向よりも上記吸収性部材の長さが短く、上記長手方向を横切る短手方向と、が定義され、上記短手方向の上記吸収性部材の端部の厚みは、上記長手方向の上記吸収性部材の端部の厚みよりも大きいものであってもよい。
【発明の効果】
【０００８】
本発明の一実施形態に係るヘルメット用吸汗具は、製造コストを低くおさえるとともに、吸収性部材の圧縮特性を制御することで、着用者の頭部の所定箇所に摺り落ちないように固定でき、フィット感が高く、かつ、ヘルメット着用時などに吸汗具が着用者の肌や頭部が擦れることによるヨレが生じず、汗を持続的に吸収することができるものである。
【図面の簡単な説明】
【０００９】
【図１】本発明の一実施形態にかかるヘルメット用吸汗具を固着したヘルメットの斜視図である。
【図２】本発明の一実施形態にかかるヘルメット用吸汗具の正面図である。
【図３】図２のヘルメット用吸汗具の背面図である。
【図４】図２のヘルメット用吸汗具の長手方向における側面図である。
【図５】図２のヘルメット用吸汗具のＸ−Ｘ’断面における断面図である。
【発明を実施するための形態】
【００１０】
図１から図５を参照して、本発明の実施形態に係るヘルメット用吸汗具１００を説明する。なお、本実施形態の説明は、特に説明がない限り、全体を通して同じ要素には同じ番号を付している。
【００１１】
図１は、本実施形態に係るヘルメット用吸汗具１００を固着したヘルメット１の斜視図である。ヘルメット用吸汗具１００は、使い捨て吸汗具であって、ヘルメット１とは別体で構成され、ヘルメット１の内側の少なくとも一部に着脱可能に固着される。例えば、ヘルメット用吸汗具１００は、ヘルメット１の内側のライナー表面に固着される。ヘルメット用吸汗具１００は、長手方向がヘルメット１の下縁に略沿って配置されることが好ましく、例えば、図１に示すように、ヘルメット１の着用時に、着用者の額に位置付けられる部分に固着される。ただし、これに限定されず、ヘルメット用吸汗具１００は、着用者の後頭部に位置付けられる部分や頭頂部に位置付けられる部分に固着されてもよい。
【００１２】
図２から図５を参照して、本実施形態に係るヘルメット用吸汗具１００を説明する。図２はヘルメット用吸汗具１００の正面図、図３はヘルメット用吸汗具１００の背面図、図４はヘルメット用吸汗具１００の長手方向における側面図、および、図５は図２のＸ−Ｘ’断面における断面図を示している。ヘルメット用吸汗具１００は、吸収性部材１１０と吸収性部材１１０をヘルメット１に固着するための粘着層１３０とを備える。
【００１３】
吸収性部材１１０には、ヘルメット１の着用者の肌に当接する面である肌当接面Ｓｉと肌当接面Ｓｉの裏面である非肌当接面Ｓｏとが定義される。吸収性部材１１０は、吸収主体１１６と、吸収主体１１６を囲繞する液透過性の外装体１１５と、を含む。吸収性部材１１０は、非肌当接面Ｓｏの側に粘着層１３０が固着され、この肌当接面Ｓｉの側から、着用者の汗が浸透し、外装体１１５を経て、吸収主体１１６に汗が吸収されて保持されるように構成される。
【００１４】
また、図示は省略するが、汗の拡散性を向上させるために、必要に応じて、さらに、吸収性部材１１０は、吸収主体１１６と外装体１１５との間に液拡散性の補助シートを含んでもよい。
【００１５】
吸収性部材１１０には、図２に示されるように、長手方向と、長手方向よりも吸収性部材の長さが短く、長手方向を横切る短手方向と、が定義される矩形形状を呈するものである。吸収性部材１１０は、圧縮荷重によって、その厚みＴが変化するものであり、圧縮荷重を０．５ｇｆ／ｃｍ２として圧縮した際の厚みをＴ０、圧力５０ｇｆ／ｃｍ２で圧縮した吸収性部材の厚みをＴＭとする。吸収性部材１１０は、長手方向の長さＬ１が１５０ｍｍ以上２５０ｍｍ以下、短手方向の長さＬ２が４０ｍｍ以上９０ｍｍ以下、かつ、圧縮荷重を０．５ｇｆ／ｃｍ２として圧縮した際の厚みＴ０が７．０ｍｍ以上１４．０ｍｍ以下であることが好ましい。吸収性部材１１０の長手方向の長さＬ１が２５０ｍｍ以上であると装着感が悪く、１５０ｍｍ以下であると汗を吸収する範囲が小さく不十分となるからである。また、吸収性部材１１０の短手方向の長さＬ２が９０ｍｍ以上であると装着感が悪く、４０ｍｍ以下であると汗を吸収する範囲が小さく不十分だからである。さらにまた、圧縮荷重を０．５ｇｆ／ｃｍ２として圧縮した際の吸収性部材１１０の厚みＴ０が７．０ｍｍ以下であると吸収部材と着用者の頭部との密着性が悪く、長時間の着用で擦れ等による不快感を与える。１４．０ｍｍ以上であると厚みが大きすぎて装着感が悪化する。なお、この吸収性部材１１０の長手方向の長さＬ１、短手方向の長さＬ２および厚みＴ（Ｔ０，ＴＭを含む）は、図２および図４に示すように、吸収性部材１１０における、それぞれの最大値を示すものとする。なお、厚みＴ０は、ＫＥＳ−Ｇ５ハンディー圧縮試験機（カトーテック株式会社製）を用いて、加圧面積を２ｃｍ２（円形，標準）、圧縮速度を０．２ｍｍ／ｓｅｃ、圧縮荷重圧力０．５ｇｆ／ｃｍ２、測定感度をＳＥＮＳ５、測定制御をＦＯＲＣＥとして圧縮した吸収性部材の厚みである。
【００１６】
そして、図４に示すように、吸収性部材１１０は、この短手方向における吸収性部材１１０の端部ＥＴの厚みが、長手方向における吸収性部材１１０の端部ＥＬの厚みよりも大きいことが好ましい。本実施形態において、吸収性部材１１０は、吸収主体１１６が、外装体１１５で包摂されるために、少なくとも２つの端部において外装体が圧搾などによってシールされ、例えば、図示されるように、長手方向の端部ＥＬの外装体１１５がシールされ、短手方向の端部ＥＴはシールされずに外装体１１５が折り返されるだけで構成される。
【００１７】
次に、吸収性部材１１０の圧縮特性について説明する。ヘルメット用吸汗具１００に用いる吸収性部材１１０の圧縮特性のうち、圧縮荷重−圧縮歪曲線の直線性ＬＣ、圧縮仕事量ＷＣ、および、圧縮レジリエンスＲＣの圧縮特性は、ＫＥＳ−Ｇ５ハンディー圧縮試験機（カトーテック株式会社製）を用いて、加圧面積を２ｃｍ２（円形，標準）、圧縮速度を０．２ｍｍ／ｓｅｃ、圧縮荷重を５０ｇｆ／ｃｍ２、測定感度をＳＥＮＳ５および測定制御をＦＯＲＣＥとして測定した値を示す。
【００１８】
吸収性部材１１０は、圧縮荷重−圧縮歪曲線の直線性ＬＣが０．５０以上０．７５以下である。これにより、ヘルメット用吸汗具１００としての吸収性部材１１０のフィット感および耐久性を良好とすることができる。すなわち、圧縮荷重−圧縮歪曲線の直線性ＬＣが０．７５以上では、吸収性部材１１０のクッション性が劣り、ヘルメット用吸汗具１００としてのフィット感が悪く、０．５０未満ではシッカリ感が悪く、ヘルメット１の連続着用時にヨレなどを発生しやすくなるからである。
【００１９】
さらに、吸収性部材１１０は、吸収性部材１１０の圧縮仕事量ＷＣが５．０以上１０．０以下であるものであってもよい。これにより、ヘルメット用吸汗具１００が固着されたヘルメット１の装着感をより良好とし、コスト面で優れたヘルメット用吸汗具１００を得られる。すなわち、圧縮仕事量ＷＣが５．０未満では、吸収性部材１１０が柔らかすぎて、ヘルメット用吸汗具１００が固着されたヘルメット１の装着感が悪く、１０．０以上は、ヘルメット用吸汗具１００が固着されたヘルメット１の装着感に問題はないが、コスト的に無駄が生じるからである。
【００２０】
そして、吸収性部材１１０は、圧縮レジリエンスＲＣが５０．０％以上１００％未満であってもよい。これによれば、繰り返しヘルメット用吸汗具１００が固着されたヘルメット１を着脱しても、良好な着用感を持続させることができる。すなわち、吸収性部材１１０の圧縮レジリエンスＲＣが５０％未満では、繰り返しヘルメットを着脱した際にクッション感が低下して、着用感が悪くなるものである。
【００２１】
次に、吸収性部材１１０の厚みＴ０およびＴＭについて説明する。吸収性部材１１０の厚みＴ０およびＴＭは、ＫＥＳ−Ｇ５ハンディー圧縮試験機（カトーテック株式会社製）を用いて測定した値を示す。前述のとおり、吸収性部材１１０の厚みＴ０は、圧縮荷重を０．５ｇｆ／ｃｍ２として圧縮した吸収性部材の厚みであり、一方、ＴＭは、圧力５０ｇｆ／ｃｍ２で圧縮した吸収性部材の厚みである。吸収性部材１１０は、吸収性部材１１０の厚みの差分Ｔ０−ＴＭが、３．５ｍｍ以上１０．０ｍｍ以下となるものであってもよい。これによれば、ヘルメット用吸汗具１００が固着されたヘルメット１の装着感をより良好とすることができる。すなわち、吸収性部材１１０の厚みの差分Ｔ０−ＴＭが３．５ｍｍ未満ではヘルメット用吸汗具１００としてのクッション性が低く、装着時のフィット感が悪く、１０．０ｍｍ以上であると必然的に見かけ厚みが大きくなりすぎ、ヘルメット１が装着しにくくなるからである。
【００２２】
なお、吸収性部材１１０には、制汗剤、デオドラント剤および芳香剤の少なくとも一つが含有されていてもよい。これによれば、さらに、ヘルメット着用者に快適な着用感を供することができる。制汗剤、デオドラント剤および芳香剤の少なくとも一つは、吸収性部材１１０の少なくとも肌当接面Ｓｉに塗布または噴霧されることで吸収性部材１１０に含有されてもよい。また、肌への刺激を低減させるために、吸収性部材１１０の少なくとも肌当接面Ｓｉに、ローション、酸化防止剤、抗炎症成分、ｐＨ調整剤、抗菌剤、保湿剤等を含有させてもよい。
【００２３】
１または複数の粘着層１３０は、非肌当接面Ｓｏの少なくとも一部において吸収性部材１１０に固着され、ヘルメット１の装着時に吸収性部材１１０をヘルメットに固着するようになっている。例えば、粘着層１３０は、接着シートや接着剤を含み、吸収性部材１１０の非肌当接面Ｓｏに貼付、塗布または噴霧などすることにより形成される。粘着層１３０は、図示されるように吸収性部材１１０の非肌当接面Ｓｏの略中央に配設されてもよいし、複数の粘着層１３０が吸収性部材１１０の非肌当接面Ｓｏの各端部領域に配設されてもよい。
【００２４】
さらに、ヘルメット用吸汗具１００は、粘着層１３０を挟んで、吸収性部材１１０と対向する位置に配置された剥離部材１５０を含んでもよい。剥離部材１５０は、粘着層１３０を保護し、ヘルメット１にヘルメット用吸汗具１００を固着する際に、ヘルメット用吸汗具１００から剥離され、これによって、粘着層１３０が露出されるものである。剥離部材１５０としては、シート材に剥離剤を被着させたものが好ましく用いられ、シート材としては、ポリプロピレン、低密度ポリエチレン、ポリビニルアルコール等のフィルムあるいは不織布や紙及びこれらの複合材料を用いることができ、剥離剤としては、シリコーン系、フッ素系、イソシアネート系等のものが好ましく用いられる。剥離部材１５０は、例えば、剥離剤をシート材に塗布して加熱乾燥するか、スプレーで吹きつけることで、薄い被膜をシート材上に被覆させて形成する。
【００２５】
さらにまた、吸収性部材１１０は、最外面側を覆う包装シート（図示せず）などが適宜配設されて個装状態とされていてもよい。この場合、前述した剥離部材１５０が包装シートとしての機能を兼ね備えていてもよい。
【００２６】
次に、吸収性部材１１０の各部材について、詳細に説明する。外装体１１５の基材は、汗が吸収主体１１６へと移動するように液透過性を備えていればよく、例えば、サーマルボンド不織シート等の不織シート、サーマルボンド／スパンボンドを積層した複合不織シート、開口ポリエチレンフィルム等の開口性フィルム、ポリエチレンフォーム、ウレタンフォーム等の発泡フィルム、あるいは、これらを積層した複合シートや紙といった材料から形成される。外装体１１５は、ＪＩＳ−Ｌ−１０９９Ａ−１法に基づいて測定した透湿度が４００ｇ／ｍ２・ｈ以上８００ｇ／ｍ２・ｈ以下であることが好ましい。透湿度が４００ｇ／ｍ２・ｈ未満ではヘルメットの長時間着用時にムレにより不快感が生じ、８００ｇ／ｍ２・ｈを超えると外装体１１５の耐久性が低くなる。従って、外装体１１５としては、このような条件を満たす坪量１８ｇｓｍ以上２５ｇｓｍ以下の親水性エアスルー不織布を好適に用いることができる。
【００２７】
吸収主体１１６の基材は、パルプ繊維等の液体吸収性繊維を所定形状に成形したものを含み、液体吸収性繊維に高吸水性樹脂（ＳＡＰ）を含有させたもの、液体吸収性シートに高吸水性樹脂（ＳＡＰ）を固着させたものであってもよい。例えば、吸収主体１１６の基材は、フラッフパルプなどの液体吸収性繊維、親水性シートおよび高吸水性樹脂を備える。この場合、高吸水性樹脂が混入または囲繞された液体吸収性繊維を成形して成形体をなし、高吸水性樹脂粒子の漏洩防止や吸収性部材の形状を安定させるために、この成形体をクレープ紙やティシュなどのような液透過性のキャリアシート１１２によって被覆することで形成される。液透過性のキャリアシート１１２はクレープ紙からなることがより好ましい。フラッフパルプとしては、例えば、木材パルプ及び合成繊維、ポリマー繊維等の非木材パルプを綿状に解繊したものがある。また、高吸水性樹脂は、吸液により膨潤等して高い液体の保持性能を有した高分子重合体を備える粒状の樹脂体であり、例えば、ポリアクリル酸ナトリウム系、親水性シートとしては、ティシュ、吸収紙、親水性不織シートが例として挙げられる。
【００２８】
吸収主体１１６は、上記の吸収主体１１６の基材を単層あるいは複数層に積層して構成される。さらに、吸収主体１１６の表面にエンボス加工を施すことで、体液の拡散をコントロールすることもできる。
【実施例】
【００２９】
（実施例１〜３）
次に、以下の実施例により、本発明の実施形態をさらに具体的に説明する。なお、本発明はその要旨を超えない限り、以下の実施例の記載に限定されるものではない。実施例１〜３に係るヘルメット用吸汗具に用いる吸収性部材として、パルプと高吸水性樹脂（ＳＡＰ）の混合物を坪量１６ｇｓｍのクレープ紙で囲繞したものを吸収主体として用い、さらに、外装体となる坪量２５ｇｓｍのエアスルー不織布で吸収主体を囲繞したものを形成した。実施例１〜５に係るヘルメット用吸汗具の吸収性部材について、パルプと高吸水性樹脂（ＳＡＰ）の含有量、および、吸収性部材の長手方向の長さＬ１、短手方向の長さＬ２は表１に記載のとおりとした。そして、ヘルメット用吸汗具に用いる吸収性部材の圧縮荷重−圧縮歪曲線の直線性ＬＣが０．５０以上０．７５以下となるようにした。
【００３０】
（比較例１〜２）
表１に記載のとおりのパルプと高吸水性樹脂（ＳＡＰ）の含有量、および、吸収性部材の長手方向の長さＬ１、短手方向の長さＬ２とした以外は、実施例１〜３と同様の方法でヘルメット用吸汗具の吸収性部材することで、ヘルメット用吸汗具に用いる吸収性部材の圧縮荷重−圧縮歪曲線の直線性ＬＣが０．５０未満または０．７５を超えるようにした。
【００３１】
（比較例３）
比較例３のヘルメット用吸汗具に用いる吸収性部材として、吸収主体として、高吸水性樹脂（ＳＡＰ）を４プライの液体吸収紙に被着させたものを吸収主体として用い、さらに、外装体となる坪量２５ｇｓｍのエアスルー不織布で吸収主体を囲繞したものを形成した。比較例１に係るヘルメット用吸汗具について、パルプと高吸水性樹脂（ＳＡＰ）の含有量、および、吸収性部材の長手方向の長さＬ１、短手方向の長さＬ２を、表１に記載のとおりとして、ヘルメット用吸汗具に用いる吸収性部材の圧縮荷重−圧縮歪曲線の直線性ＬＣが０．５０未満または０．７５を超えるようにした。
【００３２】
（圧縮特性の測定方法）
実施例１〜３および比較例１〜３のヘルメット用吸汗具に用いる吸収性部材について、ＫＥＳ−Ｇ５ハンディー圧縮試験機（カトーテック株式会社製）を用いて、圧縮荷重−圧縮歪曲線の直線性ＬＣ、圧縮仕事量ＷＣ、および、圧縮レジリエンスＲＣの圧縮特性を測定した。これらの測定条件は、加圧面積を２ｃｍ２（円形，標準）、圧縮速度を０．２ｍｍ／ｓｅｃ、圧縮荷重を５０ｇｆ／ｃｍ２、測定感度をＳＥＮＳ５、測定制御をＦＯＲＣＥとして行ったものである。また、ＫＥＳ−Ｇ５ハンディー圧縮試験機（カトーテック株式会社製）を用いて、吸収性部材の厚みＴ０，ＴＭを測定した、Ｔ０は、圧縮荷重を０．５ｇｆ／ｃｍ２として圧縮した吸収性部材の厚みであり、ＴＭは、圧力５０ｇｆ／ｃｍ２で圧縮した吸収性部材の厚みである。これらの測定結果を表１に示す。
【００３３】
（官能特性の評価方法）
２５名による着用テストを行い、その結果、フィット感について、「フィット感が悪い」の評価をした者が１０〜２５名の場合を「×」、２〜５名の場合を△、１名以下の場合を「○」とした。また、耐久性について、「耐久性が悪い」の評価をした者が、１０名〜２５名の場合を「×」、２〜５名の場合を「△」、１名以下の場合を「○」とした。これらの結果を、表１の「フィット感」および「耐久性」の欄に示す。これらの評価結果を表１に示す。
【００３４】
（結果）
表１より、実施例１〜３のように、ヘルメット用吸汗具に用いる吸収性部材は、圧縮荷重−圧縮歪曲線の直線性ＬＣが０．５０以上０．７５以下であると、比較例１〜３と比較して、フィット感および耐久性を良好とすることができることがわかった。すなわち、圧縮荷重−圧縮歪曲線の直線性ＬＣが０．７５以上では、吸収性部材のクッション性が劣り、ヘルメット用吸汗具としてのフィット感が悪く、０．５０未満ではシッカリ感が悪く、ヘルメット連続着用時にヨレなどを発生しやすくなるものであった。
【００３５】
さらに、実施例１〜３のように、ヘルメット用吸汗具に用いる吸収性部材の厚みの差分Ｔ０−ＴＭを３．５ｍｍ以上１０．０ｍｍ以下とすると、比較例２などと比較して、ヘルメット用吸汗具付きのヘルメットの装着感をより良好とすることができた。すなわち、吸収性部材の厚みの差分Ｔ０−ＴＭが３．５ｍｍ未満ではヘルメット用吸汗具としてのクッション性が低く、装着時のフィット感が悪く、１０．０ｍｍ以上であると必然的に見かけ厚みが大きくなりすぎ、ヘルメットが装着しにくくなるからである。
【００３６】
また、実施例１〜３のように、圧縮仕事量ＷＣが５．０以上１０．０以下であると、比較例１などと比較して、さらに、ヘルメット用吸汗具付きのヘルメットの装着感が良好で、コスト面で優れたヘルメット用吸汗具が得られる。すなわち、圧縮仕事量ＷＣが５．０未満では、吸収性部材が柔らかすぎて、ヘルメット用吸汗具付きのヘルメットの装着感が悪く、１０．０以上は、ヘルメット用吸汗具付きのヘルメットの装着感に問題はないが、コスト的に無駄が生じるからである。
【００３７】
そして、実施例１〜３のように、圧縮レジリエンスＲＣは、５０．０％以上１００％未満であると、比較例１などと比較して、繰り返しヘルメットを着脱しても良好な着用感を持続させることができる。すなわち、圧縮レジリエンスＲＣが５０％未満では、繰り返しヘルメットを着脱した際にクッション感が低下して、着用感が悪くなった。
【００３８】
【表１】
0006690087.tif 000002
【００３９】
以上、実施形態および実施例を用いて本発明を説明したが、本発明の技術的範囲は上記実施形態および実施例に記載の範囲には限定されないことは言うまでもない。上記実施形態および実施例に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４０】
１                          ヘルメット
１００                      ヘルメット用吸汗具
１１２                      キャリアシート
１１５                      外装体
１１６                      吸収主体
１３０                      粘着層
１５０                      剥離部材
Ｓｉ                        肌当接面
Ｓｏ                        非肌当接面
ＥＴ                        短手方向における吸収性部材の端部
ＥＬ                        長手方向における吸収性部材の端部
【図１】
0006690087.tif 000003
【図２】
0006690087.tif 000004
【図３】
0006690087.tif 000005
【図４】
0006690087.tif 000006
【図５】
0006690087.tif 000007